(57)【要約】【課題】イオン発生機の機能の低下を抑制する。【解決手段】本発明に係る加湿装置１００は、加湿フィルタ３１と、ファン６０と、第１送風路１Ａと、イオン発生器７と、規制機構８とを備える。加湿フィルタ３１は、薬剤を含む水分を空気中に放出する。ファン６０は、加湿フィルタ３１によって加湿された水分を含む空気を送風する。第１送風路１Ａは、水分を含む空気を加湿装置１００の外部に送出する。イオン発生器７は、第１送風路１Ａに配置され、放電因子を発生する。規制機構８は、水分がイオン発生器７に付着することを規制する。【選択図】図２
2020056539.tif 000002
【特許請求の範囲】
【請求項１】
薬剤を含む水分を空気中に放出する加湿部材と、
前記加湿部材によって加湿された前記水分を含む空気を送風する第１ファンと、
前記水分を含む空気を加湿装置の外部に送出する第１送風路を含む送風路と、
前記送風路に配置され、放電因子を発生する放電器と、
前記水分が前記放電器に付着することを規制する規制機構と
を備える、加湿装置。
【請求項２】
前記規制機構は、前記放電器を覆うカバー部材を備え、
前記カバー部材は、開閉自在に構成される、請求項１に記載の加湿装置。
【請求項３】
前記カバー部材は、軸部材と板状部材とを有し、
前記板状部材は、前記軸部材を中心に回動する、請求項２に記載の加湿装置。
【請求項４】
前記放電器は、前記送風路に出没自在に構成され、
前記カバー部材は、前記板状部材の回動に応じて、前記放電器を押圧して前記放電器を没入させる押圧部材を更に有する、請求項３に記載の加湿装置。
【請求項５】
前記カバー部材は、板状部材を有し、
前記板状部材は、前記送風路の壁面に沿ってスライド自在である、請求項２に記載の加湿装置。
【請求項６】
前記送風路は、前記第１送風路から分岐して形成された第２送風路をさらに含み、
前記第２送風路の入口及び出口の各々は、前記第１送風路に接続され、
前記放電器は、前記第２送風路に配置され、
前記規制機構は、
前記第２送風路と、
前記第２送風路の入口及び出口の少なくとも一方を閉塞する閉塞部材と
を備え、
前記閉塞部材は、開閉自在に構成される、請求項１に記載の加湿装置。
【請求項７】
前記送風路は、第２送風路をさらに含み、
前記規制機構は、
前記第２送風路と、
第２ファンと
を備え、
前記放電器は、前記第２送風路に配置され、
前記第２ファンは、前記第２送風路に向けて空気を送風し、
前記第２送風路は、前記第２ファンが送風した空気を前記加湿装置の外部に送出する、請求項１に記載の加湿装置。
【請求項８】
前記薬剤は、次亜塩素酸、二酸化塩素、次亜塩素酸の誘導体及び二酸化塩素の誘導体の少なくとも１つを含む、請求項１から７のいずれかに記載の加湿装置。
【発明の詳細な説明】
【技術分野】
【０００１】
本発明は、加湿装置に関する。
【背景技術】
【０００２】
室内の空気に水分を供給する加湿装置が普及している。また、加湿装置において、室内の空気に効果的に水分を付与する種々の技術が開示されている。
【０００３】
例えば、特許文献１に記載された加湿装置は、送風ファン、加湿フィルタユニット、及び送風路を備えている。送風ファンは、加湿フィルタユニットに向けて空気を送風する。加湿フィルタユニットは、水分を空気中に放出する。送風路は、水分を含む空気を加湿装置の外部に送出する。このようにして、特許文献１に記載された加湿装置は、室内の空気を効果的に加湿できる。
【０００４】
また、特許文献１には、イオン発生機を備えることが記載されている。イオン発生機は、例えば送風路に配置される。
【先行技術文献】
【特許文献】
【０００５】
【特許文献１】特開２０１７−１６６７８２号公報
【発明の概要】
【発明が解決しようとする課題】
【０００６】
特許文献１に記載された加湿装置では、イオン発生機の機能の低下を抑制する点において改善の余地がある。具体的には、例えば、薬剤を含有する水分を含んだ空気の通過する送風路にイオン発生機が配置される場合、イオン発生機の電極に薬剤が付着してしまい、イオン発生機の機能が低下する可能性がある。
【０００７】
本発明は、上記課題に鑑みてなされたものであり、イオン発生機の機能の低下を抑制可能な加湿装置を提供することを目的としている。
【課題を解決するための手段】
【０００８】
本発明に係る加湿装置は、加湿部材と、第１ファンと、送風路と、放電器と、規制機構とを備える。前記加湿部材は、薬剤を含む水分を空気中に放出する。前記第１ファンは、前記加湿部材によって加湿された前記水分を含む空気を送風する。前記送風路は、前記水分を含む空気を前記加湿装置の外部に送出する第１送風路を含む。前記放電器は、前記送風路に配置され、放電因子を発生する。前記規制機構は、前記水分が前記放電器に付着することを規制する。
【発明の効果】
【０００９】
本発明に係る加湿装置によれば、イオン発生機の機能の低下を抑制できる。
【図面の簡単な説明】
【００１０】
【図１】本発明の第１実施形態に係る加湿装置の構成の一例を示す側面図である。
【図２】本発明の第１実施形態に係るイオン発生器及び規制機構の構成の一例を示す側面図である。（ａ）は、閉状態の規制機構の一例を示す側面図である。（ｂ）は、経路規制状態の規制機構の一例を示す側面図である。（ｃ）は、開状態の規制機構の一例を示す側面図である。
【図３】本発明の第１実施形態に係るイオン発生器及び規制機構の構成の第１変形例を示す側面図である。（ａ）は、閉状態の規制機構の第１変形例を示す側面図である。（ｂ）は、開状態の規制機構の第１変形例を示す側面図である。
【図４】本発明の第１実施形態に係るイオン発生器及び規制機構の構成の第２変形例を示す側面図である。（ａ）は、閉状態の規制機構の第２変形例を示す側面図である。（ｂ）は、経路規制状態の規制機構の第２変形例を示す側面図である。（ｃ）は、開状態の規制機構の第２変形例を示す側面図である。
【図５】本発明の第１実施形態に係るイオン発生器及び規制機構の構成の第３変形例を示す側面図である。（ａ）は、閉状態の規制機構の第３変形例を示す側面図である。（ｂ）は、開状態の規制機構の第３変形例を示す側面図である。
【図６】本発明の第２実施形態に係るイオン発生器及び規制機構の構成の一例を示す側面図である。（ａ）は、閉状態の規制機構の一例を示す側面図である。（ｂ）は、開状態の規制機構の一例を示す側面図である。
【図７】本発明の第１実施形態及び第２実施形態に係る制御部の処理の一例を示すフローチャートである。
【図８】本発明の第１実施形態及び第２実施形態に係る制御部の処理の一例を示すフローチャートである。
【図９】本発明の第２実施形態の変形例に係る加湿装置の構成を示す側面図である。
【発明を実施するための形態】
【００１１】
以下、本発明の実施形態について、図面（図１〜図９）を参照しながら説明する。なお、図中、同一又は相当部分については同一の参照符号を付して説明を繰り返さない。
【００１２】
＜第１実施形態＞
まず、図１を参照して、本発明の第１実施形態に係る加湿装置１００の構成について説明する。図１は、第１実施形態に係る加湿装置１００の構成の一例を示す側面図である。図１に示すように、加湿装置１００は、筐体１０、第１送風路１Ａ、第１仕切部材１１２、吸込室２、加湿ユニット３、水槽４、センサＳ、モータ５、送風機６及び制御部９を備える。
【００１３】
また、本発明の第１実施形態、及び第２実施形態では、図中に、互いに直交するＸ軸、Ｙ軸及びＺ軸を示す。Ｚ軸は鉛直方向に平行であり、Ｘ軸及びＹ軸は水平方向に平行である。Ｘ軸の正方向は、加湿装置１００の前面側を示す。なお、本発明の第２実施形態については、後述にて図６及び図９を参照して詳細に説明する。
【００１４】
筐体１０は、第１送風路１Ａ、第１仕切部材１１２、吸込室２、加湿ユニット３、水槽４、センサＳ、モータ５及び送風機６を収納する。
【００１５】
第１仕切部材１１２は、筐体１０の内部を第１送風路１Ａと吸込室２とに仕切る。第１仕切部材１１２は、第１送風路１Ａの一部を構成する。第１送風路１Ａは、送風機６（後述するファン６０）から送風された空気を加湿装置１００の外部に送出する。第１送風路１Ａは、「送風路」の一例に相当する。
【００１６】
第１送風路１Ａは、後方送風路１１と、前方送風路１２とを有する。後方送風路１１は、後方排気口１１１を有する。後方送風路１１は、送風機６から送風された空気を、後方排気口１１１から加湿装置１００の後方に向けて排出する。前方送風路１２は、前方排気口１２１を有する。前方送風路１２は、送風機６から送風された空気を、前方排気口１２１から加湿装置１００の前方に向けて排出する。
【００１７】
吸込室２は、加湿ユニット３、水槽４、センサＳ、モータ５を収容する。また、吸込室２は、第２仕切部材２１、集塵フィルタ２２、脱臭フィルタ２３及び背面パネル２４を備える。背面パネル２４は、筐体１０に着脱自在に構成される。背面パネル２４は、筐体１０の背面側（Ｘ軸の負方向側）に配置される。背面パネル２４は、複数の吸込口２５を備える。複数の吸込口２５の各々は、Ｙ軸に沿って延びる。複数の吸込口２５の各々は、帯状に形成される開口である。複数の吸込口２５の各々は、加湿装置１００の外部から吸込室２へ空気を流入させる。
【００１８】
脱臭フィルタ２３は、背面パネル２４に対して前面側（Ｘ軸の正方向側）に配置される。脱臭フィルタ２３は、空気中に含まれる臭い成分を吸着して除去する。脱臭フィルタ２３は、例えば、不織布に活性炭を分散保持させて形成される。
【００１９】
集塵フィルタ２２は、脱臭フィルタ２３に対して前面側に配置される。集塵フィルタ２２は、脱臭フィルタ２３と積層して配置される。集塵フィルタ２２は、空気中に含まれる塵埃を捕集して除去する。集塵フィルタ２２は、例えば、公知のＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）である。
【００２０】
第２仕切部材２１は、集塵フィルタ２２に対して前面側に配置される。第２仕切部材２１は、背面パネル２４との間で、脱臭フィルタ２３及び集塵フィルタ２２を固定する。第２仕切部材２１には、複数の通風孔２１１が形成されている。送風機６の動作によって、複数の吸込口２５、脱臭フィルタ２３、集塵フィルタ２２及び複数の通風孔２１１を順次介して、加湿装置１００の外部から加湿ユニット３に向けて空気が吸い込まれる。
【００２１】
すなわち、送風機６の動作によって、加湿装置１００の外部の空気が、複数の吸込口２５、脱臭フィルタ２３及び集塵フィルタ２２を順次経由して、吸込室２に流入する。吸込室２に流入する空気は、脱臭フィルタ２３を通過することによって臭い成分が除去され、集塵フィルタ２２を通過することによって塵埃が除去される。
【００２２】
送風機６は、ファン６０と、モータ６１とを備える。モータ６１は、ファン６０を回転駆動する。ファン６０は、モータ６１の回転軸に連結される。ファン６０は、第１仕切部材１１２の下部に設けられた複数の通風孔に対向配置されている。ファン６０は、加湿ユニット３によって加湿された空気を送風する。具体的には、モータ６１の駆動によりファン６０が回転し、ファン６０は、回転軸方向側（Ｘ軸の負方向側）から空気を吸引し、遠心方向へ空気を送出する。ファン６０は、「第１ファン」の一例に相当する。
【００２３】
ファン６０の動作によって、方向Ｄで示すように、加湿装置１００の外部から背面パネル２４の吸込口２５を経て吸込室２へ空気が流入する。方向Ｄは、空気の流れの方向を示す。流入した空気は、第２仕切部材２１の通風孔２１１を経由して、吸込室２の内部をＸ軸の正方向へ流れる。すなわち、加湿ユニット３に向けて空気が送風される。そして、第１仕切部材１１２の下部の通風孔を経由して、空気はファン６０に吸引される。ファン６０によって、空気は、その進行方向が上向きに変えられ、第１送風路１Ａの内部に送風される。そして、空気は、後方排気口１１１及び前方排気口１２１を経由して加湿装置１００の外部へ排出される。
【００２４】
水槽４は、薬剤を含む水を貯留する。水槽４は、矩形の箱状に形成される。水槽４の上面は開口している。水槽４は、加湿ユニット３の下方に配置される。加湿ユニット３の下部は、水槽４の上側から進入して水槽４の内側に位置している。薬剤は、殺菌効果及び脱臭効果の少なくとも一方を有する。薬剤は、例えば次亜塩素酸を含む。なお、以下の説明では、「薬剤を含む水」を「水」と記載する場合がある。
【００２５】
センサＳは、薬剤を含む水の残量ＲＷを検出する。残量ＲＷを示す信号は、制御部９に伝送される。
【００２６】
加湿ユニット３は、薬剤を含む水分を空気中に放出する。加湿ユニット３は、第２仕切部材２１と送風機６との間に配置される。加湿ユニット３は、保持枠３０と、加湿フィルタ３１と、リングギヤ３２とを有する。加湿ユニット３は、保持枠３０の内部に加湿フィルタ３１を収納して構成される。
【００２７】
加湿フィルタ３１は、シートを蛇腹状に折り重ねて円板状に形成される。シートは、吸水性と通気性とを有する材料で形成される。シートは、例えばレーヨンで形成される。加湿フィルタ３１は、「加湿部材」の一例に相当する。
【００２８】
保持枠３０は、加湿フィルタ３１を収納し、加湿フィルタ３１を保持する。保持枠３０は、円筒状に形成される。
【００２９】
リングギヤ３２は、保持枠３０の外周面に形成される。リングギヤ３２は、保持枠３０の外周面における幅方向（Ｘ軸方向）の中央部に、保持枠３０の外周面の全周にわたって歯が形成される。
【００３０】
モータ５は、加湿ユニット３を回転駆動する。モータ５は、第２仕切部材２１に固定されており、加湿ユニット３よりも上側に配置される。モータ５には、図示しない伝動歯車が連結されており、伝動歯車には、図示しない駆動歯車が噛合される。加湿ユニット３のリングギヤ３２は、駆動歯車に噛合される。モータ５が回転駆動することによって、伝動歯車を介して駆動歯車が回転する。そして、駆動歯車の回転がリングギヤ３２を介して保持枠３０に伝わり、加湿ユニット３が回転駆動される。
【００３１】
加湿フィルタ３１の下部は、水槽４内で浸水する。具体的には、加湿フィルタ３１は、回転しながら周縁部分が断続的に浸水する。加湿フィルタ３１では、その周縁部分から中心部分に向かって吸水され、加湿フィルタ３１は、水を含む。水は、薬剤（例えば、次亜塩素酸）を含む。
【００３２】
ファン６０の回転によって吸込室２からファン６０に向けて流入する空気は、加湿フィルタ３１を通過する。空気が加湿フィルタ３１を通過する際に、加湿フィルタ３１に含まれる水が気化し、空気は気化した水分を含んだ空気となる。水分を含んだ空気は、ファン６０に吸引され、第１送風路１Ａ内を流れ、後方排気口１１１及び前方排気口１２１の少なくとも一方から加湿装置１００の外部へ排出される。このようにして、薬剤を含む水分が空気中に放出される。
【００３３】
制御部９は、加湿装置１００の動作を制御する。制御部９は、プロセッサー９１及び記憶部９２を備える。プロセッサー９１は、例えばＣＰＵ（Ｃｅｎｔｒａｌ  Ｐｒｏｃｅｓｓｉｎｇ  Ｕｎｉｔ）を備える。記憶部９２は、半導体メモリーのようなメモリーを備え、ＨＤＤ（Ｈａｒｄ  Ｄｉｓｋ  Ｄｒｉｖｅ）を備えてもよい。記憶部９２は、制御プログラムを記憶している。プロセッサー９１は、制御プログラムを実行することによって、加湿装置１００の動作を制御する。制御部９の処理については、後述にて図７及び図８を参照して詳細に説明する。
【００３４】
以上、図１を参照して説明したように、本発明の第１実施形態では、薬剤を含む水分が加湿装置１００の外部に送出され、薬剤は、次亜塩素酸を含む。したがって、加湿装置１００は、殺菌効果及び防臭効果を発揮できる。
【００３５】
なお、本発明の第１実施形態では、薬剤が次亜塩素酸を含むが、本発明はこれに限定されない。薬剤が、殺菌効果及び脱臭効果の少なくとも一方を有すればよい。例えば、薬剤が、次亜塩素酸、二酸化塩素、次亜塩素酸の誘導体、及び、二酸化塩素の誘導体の少なくとも１つを含めばよい。
【００３６】
次に、図１及び図２を参照して、本発明の第１実施形態に係るイオン発生器７及び規制機構８の構成について説明する。図２は、イオン発生器７及び規制機構８の構成の一例を示す側面図である。図２に示すように、加湿装置１００は、イオン発生器７と、規制機構８とを更に備える。
【００３７】
イオン発生器７は、第１送風路１Ａに配置され、放電因子を発生する。放電因子は、プラスイオン及びマイナスイオンを含む。第１仕切部材１１２は、凹部１１３を有する。凹部１１３は、第１送風路１Ａの送風断面積が広がる方向に形成される。換言すれば、凹部１１３は、第１送風路１Ａの壁面が没入するように形成される。イオン発生器７は、凹部１１３に配置される。イオン発生器７は、「放電器」の一例に相当する。イオン発生器７は、電源回路ユニット７１と、２つの電極７２とを備える。
【００３８】
電源回路ユニット７１は、２つの電極７２の間に電圧を印加して、２つの電極７２にプラスイオンとマイナスイオンとを発生させる。以下の説明において、プラスイオン及びマイナスイオンの各々を、「イオン」と記載する場合がある。
【００３９】
２つの電極７２は、電極７２ａと電極７２ｂとを含む。電極７２ａと電極７２ｂとの各々は、電源回路ユニット７１に立設される。電極７２ａと電極７２ｂとは、Ｙ軸方向に沿って配列される。具体的には、電極７２ａは、電源回路ユニット７１においてＹ軸の負方向側の端部に立設される。電極７２ｂは、電源回路ユニット７１においてＹ軸の正方向側の端部に立設される。電極７２ａは、例えばプラスイオンを発生する。電極７２ｂは、例えばマイナスイオンを発生する。
【００４０】
イオン発生器７は、凹部１１３に配置されるため、イオン発生器７の２つの電極７２の先端は、第１送風路１Ａの壁面から第１送風路１Ａの外側に没入している。換言すれば、凹部１１３は、２つの電極７２の先端が、第１送風路１Ａの壁面から第１送風路１Ａの外側に没入するように形成される。
【００４１】
規制機構８は、薬剤を含む水分がイオン発生器７に付着することを規制する。具体的には、規制機構８は、軸部材８２と板状部材８１とを有する。軸部材８２は、第１送風路１Ａの壁面のうちの凹部１１３の一方側（上側）の端部と近接する位置に配置される。例えば、凹部１１３に対して斜め上側の第１送風路１Ａの壁面に配置される。軸部材８２は、板状部材８１を回動自在に支持する。軸部材８２は、Ｙ軸方向に延びる。軸部材８２及び板状部材８１は、「カバー部材」の一例を構成する。換言すれば、軸部材８２及び板状部材８１の各々は、「カバー部材」の一部に相当する。なお、以下の説明において、「薬剤を含む水分」を「水分」と記載する場合がある。
【００４２】
板状部材８１は、イオン発生器７を覆う。また、板状部材８１は、軸部材８２を中心に回動する。具体的には、板状部材８１が方向Ｗに回動する場合には、規制機構８が、「閉状態」から「経路規制状態」を経由して、「開状態」に変化する。方向Ｗは、時計回りを示す。
【００４３】
図２（ａ）は、「閉状態」の規制機構８の一例を示す側面図である。図２（ａ）に示すように、規制機構８が「閉状態」である場合には、板状部材８１が、凹部１１３の開口を閉塞し、イオン発生器７を覆う。「閉状態」は、板状部材８１がイオン発生器７を覆う状態を示す。規制機構８が閉状態である場合には、板状部材８１が凹部１１３の開口を閉塞するため、規制機構８は、水分がイオン発生器７に付着することを規制する。よって、水分がイオン発生器７に付着することを防止できる。
【００４４】
図２（ｂ）は、「経路規制状態」の規制機構８の一例を示す側面図である。図２（ｂ）に示すように、規制機構８が「経路規制状態」である場合には、板状部材８１が後方送風路１１への空気の流入を規制する。「経路規制状態」は、板状部材８１が後方送風路１１への空気の流入を規制する状態を示す。規制機構８が経路規制状態である場合には、板状部材８１が凹部１１３の開口を開放するため、イオン発生器７がイオンを第１送風路１Ａに放出するとともに、板状部材８１が後方送風路１１への空気の流入を規制するため、前方送風路１２に流入する空気の流量が増加する。
【００４５】
図２（ｃ）は、「開状態」の規制機構８の一例を示す側面図である。図２（ｃ）に示すように、規制機構８が「開状態」である場合には、板状部材８１が凹部１１３の開口を開放する。「開状態」は、板状部材８１が凹部１１３の開口を開放する状態を示す。規制機構８が開状態では、板状部材８１が凹部１１３の開口を開放するため、イオン発生器７がイオンを第１送風路１Ａに放出する。具体的には、図１に示す水槽４内の薬剤を含む水が不足している場合に、制御部９の指示に基づいて規制機構８が開状態に変化し、イオン発生器７がイオンを第１送風路１Ａに放出する。
【００４６】
以上、図１及び図２を参照して説明したように、本発明の第１実施形態では、規制機構８は、薬剤を含む水分がイオン発生器７に付着することを規制する。したがって、イオン発生器７の機能の低下を抑制できる。
【００４７】
また、本発明の第１実施形態では、規制機構８は、イオン発生器７を覆うカバー部材を備える。カバー部材は、開閉自在に構成される。よって、カバー部材を閉状態にすることによって、カバー部材がイオン発生器７を覆うことができる。したがって、簡素な構成で、イオン発生器７の機能の低下を抑制できる。
【００４８】
また、本発明の第１実施形態では、カバー部材は、軸部材８２と板状部材８１とを有する。板状部材８１は、軸部材８２を中心に回動する。したがって、簡素な構成でカバー部材を実現できる。
【００４９】
＜第１変形例＞
次に、図１〜図３を参照して、本発明の第１実施形態に係るイオン発生器７及び規制機構８の構成について更に説明する。図３は、イオン発生器７及び規制機構８の構成の第１変形例を示す側面図である。図２に示すイオン発生器７が、凹部１１３に配置されるのに対して、図３に示すイオン発生器７は、第１送風路１Ａの壁面に配置される点で相違している。以下の説明では、図３に示すイオン発生器７が、図２に示すイオン発生器７と相違する点について主に説明する。また、以下の説明では、図３に示す規制機構８が、図２に示す規制機構８と相違する点について主に説明する。
【００５０】
図３に示すように、イオン発生器７は、第１送風路１Ａの壁面に配置される。具体的には、イオン発生器７の電源回路ユニット７１が第１送風路１Ａの壁面に埋設され、且つ、イオン発生器７の２つの電極７２の各々が、第１送風路１Ａの壁面から第１送風路１Ａの内側に突出するように配置される。
【００５１】
規制機構８の板状部材８１は、凹部８３を備える。凹部８３は、Ｙ軸方向に延びる。凹部８３は、イオン発生器７を覆う。具体的には、凹部８３は、２つの電極７２を覆う。
【００５２】
第１仕切部材１１２は、凹部１１４を備える。凹部１１４は、Ｙ軸方向に延びる。凹部１１４は、第１送風路１Ａの壁面が、第１送風路１Ａの外側に没入するように形成される。凹部１１４は、規制機構８を「開状態」にした場合に、凹部８３が嵌まり込むように形成される。具体的には、凹部１１４の位置及びサイズの各々は、凹部８３が嵌まり込むように決定される。
【００５３】
図３（ａ）は、「閉状態」の規制機構８の第１変形例を示す側面図である。図３（ａ）に示すように、規制機構８が「閉状態」である場合には、板状部材８１の凹部８３が、イオン発生器７を覆う。「閉状態」は、板状部材８１の凹部８３がイオン発生器７を覆う状態を示す。規制機構８が閉状態である場合には、凹部８３がイオン発生器７を覆うため、規制機構８は、水分がイオン発生器７に付着することを規制する。
【００５４】
図３（ｂ）は、「開状態」の規制機構８の第１変形例を示す側面図である。板状部材８１が方向Ｗに回動する場合には、規制機構８が、図３（ａ）に示す「閉状態」から図３（ｂ）に示す「開状態」に変化する。
【００５５】
図３（ｂ）に示すように、規制機構８が「開状態」である場合には、板状部材８１が２つの電極７２を開放する。「開状態」は、板状部材８１が２つの電極７２を開放する状態を示す。規制機構８が開状態である場合には、板状部材８１が２つの電極７２を開放するため、イオン発生器７がイオンを第１送風路１Ａに放出する。具体的には、図１に示す水槽４内の薬剤を含む水が不足している場合に、制御部９の指示に基づいて規制機構８が開状態に変化し、イオン発生器７がイオンを第１送風路１Ａに放出する。また、規制機構８が「開状態」である場合には、板状部材８１の凹部８３が、第１仕切部材１１２の凹部１１４に嵌まり込む。
【００５６】
以上、図１〜図３を参照して説明したように、本発明の第１実施形態の第１変形例では、２つの電極７２の各々が、第１送風路１Ａの壁面から第１送風路１Ａの内側に突出するように配置される。よって、第１送風路１Ａを流れる空気中に含まれるイオンの量を増加できる。したがって、後方排気口１１１及び前方排気口１２１を経由して加湿装置１００の外部へ放出されるイオンの量を増加できる。
【００５７】
また、本発明の第１実施形態の第１変形例では、規制機構８が「開状態」において、板状部材８１の凹部８３が、第１仕切部材１１２の凹部１１４に嵌まり込む。したがって、規制機構８が「開状態」において、板状部材８１が、第１送風路１Ａにおける空気の流れを妨げることを抑制できる。
【００５８】
なお、本発明の第１実施形態の第１変形例では、イオン発生器７の電源回路ユニット７１が第１送風路１Ａの壁面に埋設されるが、本発明はこれに限定されない。イオン発生器７の２つの電極７２の各々が、第１送風路１Ａの壁面から第１送風路１Ａの内側に突出するように配置されればよい。例えば、イオン発生器７の電源回路ユニット７１が第１送風路１Ａの壁面から第１送風路１Ａの内側に突出するように配置されてもよい。この場合には、空気中のイオンの濃度を更に高めることができる。
【００５９】
＜第２変形例＞
次に、図１、図２及び図４を参照して、本発明の第１実施形態に係るイオン発生器７及び規制機構８の構成について更に説明する。図４は、イオン発生器７及び規制機構８の構成の第２変形例を示す側面図である。図２に示すイオン発生器７が、凹部１１３に配置されるのに対して、図４に示すイオン発生器７は、第１送風路１Ａの壁面に出没自在に配置される点で相違している。以下の説明では、図４に示すイオン発生器７が、図２に示すイオン発生器７と相違する点について主に説明する。また、以下の説明では、図４に示す規制機構８が、図２に示す規制機構８と相違する点について主に説明する。
【００６０】
図４に示すように、イオン発生器７は、第１送風路１Ａの壁面に出没自在に配置される。イオン発生器７は、バネ等の付勢部材によって第１送風路１Ａの壁面から突出する方向に付勢される。
【００６１】
また、規制機構８は、押圧部材８４を更に備える。押圧部材８４は、板状部材８１に立設される。押圧部材８４は、２つの板状部材である。具体的には、押圧部材８４は、板状部材８１に対して方向Ｗの反対方向に突出して形成される。押圧部材８４は、方向Ｗの反対方向への板状部材８１の回動に応じて、イオン発生器７を押圧してイオン発生器７を第１送風路１Ａの壁面に没入させる。
【００６２】
図４（ａ）は、「閉状態」の規制機構８の第２変形例を示す側面図である。図４（ａ）に示すように、規制機構８が「閉状態」である場合には、イオン発生器７が第１送風路１Ａの壁面に没入する。具体的には、規制機構８が「閉状態」である場合には、板状部材８１の押圧部材８４がイオン発生器７の電源回路ユニット７１を押圧して、イオン発生器７を第１送風路１Ａの壁面に没入させる。また、規制機構８が「閉状態」である場合には、板状部材８１が、イオン発生器７を覆う。規制機構８が「閉状態」である場合には、板状部材８１が、イオン発生器７を覆うため、規制機構８は、水分がイオン発生器７に付着することを規制する。
【００６３】
図４（ｂ）は、「経路規制状態」の規制機構８の第２変形例を示す側面図である。板状部材８１が方向Ｗに回動する場合には、規制機構８が、図４（ａ）に示す「閉状態」から図４（ｂ）に示す「経路規制状態」に変化する。
【００６４】
図４（ｂ）に示すように、規制機構８が「経路規制状態」である場合には、板状部材８１が後方送風路１１への空気の流入を規制する。また、規制機構８が「経路規制状態」である場合には、押圧部材８４によるイオン発生器７の押圧が解除されるため、イオン発生器７の２つの電極７２の各々が、第１送風路１Ａの壁面から第１送風路１Ａの内側に突出する。「経路規制状態」は、板状部材８１が後方送風路１１への空気の流入を規制する状態を示す。規制機構８が経路規制状態である場合には、板状部材８１がイオン発生器７を開放するため、イオン発生器７がイオンを第１送風路１Ａに放出するとともに、板状部材８１が後方送風路１１への空気の流入を規制するため、前方送風路１２に流入する空気の流量が増加する。
【００６５】
図４（ｃ）は、「開状態」の規制機構８の第２変形例を示す側面図である。板状部材８１が方向Ｗに回動する場合には、規制機構８が、図４（ｂ）に示す「経路規制状態」から図４（ｃ）に示す「開状態」に変化する。
【００６６】
図４（ｃ）に示すように、規制機構８が「開状態」である場合には、イオン発生器７の２つの電極７２の各々が、第１送風路１Ａの壁面から第１送風路１Ａの内側に突出する。また、板状部材８１は、イオン発生器７を開放する。「開状態」は、板状部材８１がイオン発生器７を開放する状態を示す。規制機構８が開状態である場合には、板状部材８１がイオン発生器７を開放するため、イオン発生器７がイオンを第１送風路１Ａに放出する。具体的には、図１に示す水槽４内の薬剤を含む水が不足している場合に、制御部９の指示に基づいて規制機構８が開状態に変化し、イオン発生器７がイオンを第１送風路１Ａに放出する。
【００６７】
以上、図１、図２及び図４を参照して説明したように、本発明の第１実施形態の第２変形例では、イオン発生器７は、第１送風路１Ａに出没自在に構成される。また、規制機構８は押圧部材８４を更に有する。押圧部材８４は、板状部材８１の回動に応じて、イオン発生器７を押圧してイオン発生器７を第１送風路１Ａの壁面に没入させる。よって、板状部材８１を閉状態にすることによって、押圧部材８４がイオン発生器７を押圧して、第１送風路１Ａの壁面にイオン発生器７を没入させることができる。また、板状部材８１を開状態にすることによって、第１送風路１Ａの壁面からイオン発生器７を突出させることができる。したがって、空気中のイオンの濃度を高めることができる。
【００６８】
なお、本発明の第１実施形態の第２変形例では、規制機構８が開状態である場合には、イオン発生器７の電源回路ユニット７１が第１送風路１Ａの壁面に埋もれた状態であるが、本発明はこれに限定されない。規制機構８が開状態である場合には、イオン発生器７の２つの電極７２の各々が、第１送風路１Ａの壁面から第１送風路１Ａの内側に突出すればよい。規制機構８が開状態である場合には、例えば、イオン発生器７の電源回路ユニット７１が第１送風路１Ａの壁面から第１送風路１Ａの内側に突出するようにイオン発生器７が形成されてもよい。この場合には、空気中のイオンの濃度を更に高めることができる。
【００６９】
＜第３変形例＞
次に、図１、図２及び図５を参照して、本発明の第１実施形態に係るイオン発生器７及び規制機構８の構成について更に説明する。図５は、イオン発生器７及び規制機構８の構成の第３変形例を示す側面図である。図２に示す規制機構８において板状部材８１が回動自在であるのに対して、図５に示す規制機構８では、板状部材８１がスライド自在である点で相違している。以下の説明では、図５に示す規制機構８が、図２に示す規制機構８と相違する点について主に説明する。
【００７０】
図５に示すように、規制機構８は、板状部材８１を備える。板状部材８１は、凹部１１３の開口を覆う。板状部材８１は、第１仕切部材１１２と平行に配置される。板状部材８１は、第１送風路１Ａの壁面に沿ってスライド自在に構成される。具体的には、板状部材８１は、第１仕切部材１１２と平行な方向ＤＳにスライド自在に構成される。方向ＤＳは、Ｘ−Ｚ平面において、第１仕切部材１１２と平行な方向を示す。具体的には、方向ＤＳは、斜め上方向を示す。板状部材８１は、「カバー部材」の一例を構成する。
【００７１】
図５（ａ）は、「閉状態」の規制機構８の第３変形例を示す側面図である。図５（ａ）に示すように、規制機構８が「閉状態」である場合には、板状部材８１が、凹部１１３の開口を閉塞し、イオン発生器７を覆う。「閉状態」は、板状部材８１がイオン発生器７を覆う状態を示す。規制機構８が閉状態である場合には、板状部材８１がイオン発生器７を覆うため、規制機構８は、水分がイオン発生器７に付着することを規制する。
【００７２】
図５（ｂ）は、「開状態」の規制機構８の第３変形例を示す側面図である。板状部材８１が方向ＤＳにスライドする場合には、規制機構８が、図５（ａ）に示す「閉状態」から図５（ｂ）に示す「開状態」に変化する。
【００７３】
図５（ｂ）に示すように、規制機構８が「開状態」である場合には、板状部材８１が凹部１１３の開口を開放する。規制機構８が「開状態」である場合には、板状部材８１が２つの電極７２を開放する。「開状態」は、板状部材８１が２つの電極７２を開放する状態を示す。規制機構８が開状態である場合には、板状部材８１が２つの電極７２を開放するため、イオン発生器７がイオンを第１送風路１Ａに放出する。具体的には、図１に示す水槽４内の薬剤を含む水が不足している場合に、制御部９の指示に基づいて規制機構８が開状態に変化し、イオン発生器７がイオンを第１送風路１Ａに放出する。
【００７４】
以上、図１、図２及び図５を参照して説明したように、本発明の第１実施形態の第３変形例では、板状部材８１は、第１送風路１Ａの壁面に沿ってスライド自在である。したがって、簡素な構成でカバー部材を実現できる。
【００７５】
なお、本発明の第１実施形態の第３変形例では、板状部材８１は、第１仕切部材１１２と平行な方向ＤＳにスライド自在に構成されるが、本発明はこれに限定されない。板状部材８１は、第１送風路１Ａの壁面に沿ってスライド自在であればよい。例えば、板状部材８１がＹ軸と平行な方向にスライド自在に構成されてもよい。
【００７６】
＜第２実施形態＞
次に、図１、図２及び図６を参照して、本発明の第２実施形態に係るイオン発生器７及び規制機構８の構成について説明する。図６は、イオン発生器７及び規制機構８の構成の一例を示す側面図である。第１実施形態に係る規制機構８がイオン発生器７を覆うのに対して、第２実施形態に係る加湿装置１００では、送風路を分離することで、イオン発生器７が配置された送風路に水分を含む空気が流れない点で相違している。以下の説明では、図６に示すイオン発生器７が、図２に示すイオン発生器７と相違する点について主に説明する。また、以下の説明では、図６に示す規制機構８が、図２に示す規制機構８と相違する点について主に説明する。
【００７７】
図６に示すように、規制機構８は、第２送風路１３を含む。第２送風路１３は、第１送風路１Ａと相違する送風路である。第１送風路１Ａは、薬剤を含有する水分を含む空気を加湿装置１００の外部に送出する。第２送風路１３は、薬剤を含有する水分を含まない空気を加湿装置１００の外部に送出する。なお、「薬剤を含有する水分を含まない空気」とは、加湿ユニット３によって加湿されていない空気であってもよく、薬剤なしで加湿ユニット３によって加湿された空気であってもよい。
【００７８】
具体的には、第２送風路１３は、第１送風路１Ａから分岐して形成される。イオン発生器７は、第２送風路１３に配置される。第２送風路１３は、入口１３１と出口１３２とを有する。入口１３１及び出口１３２の各々は、第１送風路１Ａに接続される。入口１３１は、第１送風路１Ａから第２送風路１３へ空気が流入する開口を示す。出口１３２は、第２送風路１３内の空気が第１送風路１Ａへ流出する開口を示す。規制機構８は、板状部材８１と軸部材８２とを更に備える。板状部材８１は、軸部材８２を中心に回動自在に構成される。板状部材８１は、入口１３１を閉塞する。板状部材８１は、「閉塞部材」の一例に相当する。
【００７９】
軸部材８２は、入口１３１の一方側の壁面に配置される。具体的には、軸部材８２は、入口１３１のＸ軸の負方向側の壁面に配置される。軸部材８２は、Ｙ軸に沿って配置される。
【００８０】
図６（ａ）は、「閉状態」の規制機構８の第４変形例を示す側面図である。図６（ａ）に示すように、規制機構８が「閉状態」である場合には、板状部材８１が入口１３１を閉塞する。「閉状態」は、板状部材８１が入口１３１を閉塞する状態を示す。規制機構８が閉状態である場合には、板状部材８１が入口１３１を閉塞するため、第１送風路１Ａから第２送風路１３への空気の流入が規制される。よって、規制機構８は、水分がイオン発生器７に付着することを規制する。
【００８１】
図６（ｂ）は、「開状態」の規制機構８の第４変形例を示す側面図である。板状部材８１が方向Ｗに回動する場合には、規制機構８が、図６（ａ）に示す「閉状態」から図６（ｂ）に示す「開状態」に変化する。方向Ｗは、反時計回りを示す。
【００８２】
図６（ｂ）に示すように、規制機構８が「開状態」である場合には、板状部材８１が入口１３１を開放する。「開状態」は、板状部材８１が入口１３１を開放する状態を示す。規制機構８が開状態である場合には、イオン発生器７がイオンを第２送風路１３に放出する。また、入口１３１及び出口１３２の各々が第１送風路１Ａに接続されるため、第２送風路１３に放出されたイオンが第１送風路１Ａを流れる空気に流入する。具体的には、図１に示す水槽４内の薬剤を含む水が不足している場合に、制御部９の指示に基づいて、規制機構８は入口１３１を開放し、第２送風路１３を介して、水分を含まない空気を加湿装置１００の外部に送出する。
【００８３】
以上、図１、図２及び図６を参照して説明したように、本発明の第２実施形態では、イオン発生器７は、第２送風路１３に配置される。第２送風路１３は、水分を含まない空気を加湿装置１００の外部に送出する。よって、簡素な構成で、薬剤を含む水分がイオン発生器７に付着することを規制できる。したがって、簡素な構成でイオン発生器７の機能の低下を抑制できる。
【００８４】
また、本発明の第２実施形態では、第２送風路１３の入口１３１及び出口１３２の各々は、第１送風路１Ａに接続される。板状部材８１が、第２送風路１３の入口１３１を閉塞する。また、イオン発生器７は、第２送風路１３に配置される。よって、簡素な構成で、薬剤を含む水分がイオン発生器７に付着することを規制できる。したがって、簡素な構成でイオン発生器７の機能の低下を抑制できる。
【００８５】
なお、本発明の第２実施形態では、板状部材８１が、第２送風路１３の入口１３１を閉塞するが、本発明はこれに限定されない。板状部材８１が、第２送風路１３の入口１３１及び出口１３２の少なくとも一方を閉塞すればよい。例えば、板状部材８１が、第２送風路１３の出口１３２だけを閉塞してもよい。
【００８６】
次に、図１〜図８を参照して、本発明の第１実施形態及び第２実施形態に係る制御部９の処理について説明する。図７及び図８の各々は、制御部９の処理の一例を示すフローチャートである。
図７に示すように、まず、ステップＳ１０１において、制御部９は、センサＳを介して、水の残量ＲＷを検出する。ここでは、水には、薬剤が含まれる。
次に、ステップＳ１０３において、制御部９は、残量ＲＷが第１所定量ＲＷＡ以下であるか否かを判定する。第１所定量ＲＷＡは、例えば０．５Ｌである。残量ＲＷが第１所定量ＲＷＡ以下である場合には、加湿ユニット３の加湿フィルタ３１に、水槽４に貯留された水が吸水されない。
残量ＲＷが第１所定量ＲＷＡ以下ではないと制御部９が判定した場合（ステップＳ１０３でＮＯ）には、処理がステップＳ１０１に戻る。残量ＲＷが第１所定量ＲＷＡ以下であると制御部９が判定した場合（ステップＳ１０３でＹＥＳ）には、処理がステップＳ１０５に進む。
そして、ステップＳ１０５において、制御部９は加湿フィルタ３１の回転を停止する。具体的には、制御部９は、モータ５による加湿フィルタ３１の回転駆動を停止する。
【００８７】
次に、ステップＳ１０７において、制御部９は、規制機構８に対して、水分がイオン発生器７に付着することの規制を解除させる。具体的には、制御部９は、規制機構８の板状部材８１を「開状態」にする。
次に、ステップＳ１０９において、制御部９は、イオン発生器７に対してイオンの発生を開始させる。
次に、ステップＳ１１１において、制御部９は、水槽４に貯留された水が不足している旨をユーザーに報知する。例えば、制御部９は、水が不足している旨を示すＬＥＤ（Ｌｉｇｈｔ  Ｅｍｉｔｔｉｎｇ  Ｄｉｏｄｅ）を点灯する。
【００８８】
次に、図８に示すように、ステップＳ１１３において、制御部９は、センサＳを介して、水の残量ＲＷを検出する。
次に、ステップＳ１１５において、制御部９は、残量ＲＷが第２所定量ＲＷＢ以上であるか否かを判定する。第２所定量ＲＷＢは、例えば１．０Ｌである。残量ＲＷが第２所定量ＲＷＢ以上である場合には、加湿ユニット３の加湿フィルタ３１に、水槽４に貯留された水が吸水される。
残量ＲＷが第２所定量ＲＷＢ以上ではないと制御部９が判定した場合（ステップＳ１１５でＮＯ）には、処理がステップＳ１１３に戻る。残量ＲＷが第２所定量ＲＷＢ以上であると制御部９が判定した場合（ステップＳ１１５でＹＥＳ）には、処理がステップＳ１１７に進む。
そして、ステップＳ１１７において、制御部９は、水槽４に貯留された水が不足している旨のユーザーへの報知を停止する。例えば、制御部９は、水が不足している旨を示すＬＥＤを消灯する。
【００８９】
次に、ステップＳ１１９において、制御部９は、イオン発生器７に対してイオンの発生を停止させる。
次に、ステップＳ１２１において、制御部９は、規制機構８に対して、水分がイオン発生器７に付着することの規制を開始させる。具体的には、制御部９は、規制機構８の板状部材８１を「閉状態」にする。
次に、ステップＳ１２３において、制御部９は加湿フィルタ３１の回転を開始する。具体的には、制御部９は、モータ５による加湿フィルタ３１の回転駆動を開始する。その後、処理が図７に示すステップＳ１０１にリターンする。
【００９０】
以上、図１〜図８を参照して説明したように、本発明の第１実施形態及び第２実施形態では、水槽４に貯留された水が不足している場合に、制御部９は、規制機構８の板状部材８１を「開状態」にする。そして、制御部９は、イオン発生器７に対してイオンの発生を開始させる。よって、イオン発生器７がイオンを第１送風路１Ａに放出する。したがって、水が不足している場合にも、加湿装置１００は、殺菌効果及び防臭効果を発揮できる。その結果、加湿装置１００は、殺菌効果及び防臭効果を維持できる。
【００９１】
また、本発明の第１実施形態及び第２実施形態では、加湿ユニット３の加湿フィルタ３１に、水槽４に貯留された水が吸水される場合に、制御部９は、規制機構８の板状部材８１を「閉状態」にする。よって、薬剤を含む水分がイオン発生器７に付着することを規制できる。したがって、イオン発生器７の機能の低下を抑制できる。
【００９２】
なお、本発明の第１実施形態及び第２実施形態では、第２所定量ＲＷＢが第１所定量ＲＷＡより大きいが、本発明はこれに限定されない。第２所定量ＲＷＢが第１所定量ＲＷＡ以上であればよい。例えば、第２所定量ＲＷＢが第１所定量ＲＷＡと同一の値でもよい。
【００９３】
＜変形例＞
次に、図１及び図９を参照して、本発明の第２実施形態の変形例に係る加湿装置１００の構成について説明する。図９は、第２実施形態の変形例に係る加湿装置１００の構成を示す側面図である。図１に示す加湿装置１００が備える送風機６が１つであるのに対して、図９に示す加湿装置１００が備える送風機６が２つである点で相違している。以下の説明では、図９に示す加湿装置１００が図１に示す加湿装置１００と相違する点について主に説明する。
【００９４】
図９に示すように、送風機６は、第１送風機６Ａと第２送風機６Ｂとを備える。第１送風機６Ａは、第１ファン６０Ａと、第１モータ６１Ａとを備えている。第１モータ６１Ａは、第１ファン６０Ａを回転駆動する。第１ファン６０Ａは、第１モータ６１Ａの回転軸に連結される。第１ファン６０Ａは、加湿ユニット３によって加湿された水分を含む空気を送風する。
【００９５】
また、送風路１は、第１送風路１Ａと第２送風路１Ｂとを含む。第１送風路１Ａは、第１排気口１１Ａを有する。第１送風路１Ａは、方向Ｄ１に示すように、第１ファン６０Ａから送風された空気を第１排気口１１Ａから加湿装置１００の外部へ送出する。方向Ｄ１は、水分を含む空気の流れの方向を示す。すなわち、第１送風路１Ａは、水分を含む空気を第１排気口１１Ａから加湿装置１００の外部へ送出する。
【００９６】
第２送風機６Ｂは、加湿ユニット３の上方に配置される。第２送風機６Ｂは、第２ファン６０Ｂと、第２モータ６１Ｂとを備えている。第２モータ６１Ｂは、第２ファン６０Ｂを回転駆動する。第２ファン６０Ｂは、第２モータ６１Ｂの回転軸に連結される。第２ファン６０Ｂは、第２送風路１Ｂに向けて空気を送風する。
【００９７】
第２送風路１Ｂは、第２排気口１１Ｂを有する。第２送風路１Ｂは、方向Ｄ２に示すように、第２ファン６０Ｂから送風された空気を第２排気口１１Ｂから加湿装置１００の外部へ送出する。方向Ｄ２は、水分を含まない空気の流れの方向を示す。すなわち、第２送風路１Ｂは、水分を含まない空気を第２排気口１１Ｂから加湿装置１００の外部へ送出する。
【００９８】
このため、第１ファン６０Ａは、加湿フィルタ３１を通過した空気を第１送風路１Ａに向けて送風する一方で、第２ファン６０Ｂは、加湿フィルタ３１を通過しなかった空気を第２送風路１Ｂに向けて送風する。イオン発生器７は、第２送風路１Ｂに配置され、放電因子を発生する。放電因子は、プラスイオン及びマイナスイオンを含む。第２送風路１Ｂは、イオンを含む空気を加湿装置１００の外部へ送出する。
【００９９】
以上、図１及び図９を参照して説明したように、本発明の第２実施形態の変形例では、水槽４に貯留された水が不足している場合にも、第２送風路１Ｂは、イオンを含む空気を加湿装置１００の外部へ送出できる。したがって、加湿装置１００は、殺菌効果及び防臭効果を維持できる。
【０１００】
また、本発明の第２実施形態の変形例では、第２送風路１Ｂは、水分を含まない空気を加湿装置１００の外部に送出する。イオン発生器７は、第２送風路１Ｂに配置される。よって、薬剤を含む水分がイオン発生器７に付着することを更に確実に規制できる。したがって、イオン発生器７の機能の低下を更に抑制できる。
【０１０１】
また、本発明の第２実施形態の変形例では、第１送風路１Ａは、水分を含む空気を加湿装置１００の外部へ送出し、且つ、第２送風路１Ｂは、イオンを含む空気を加湿装置１００の外部へ送出する。したがって、加湿装置１００は、殺菌効果及び防臭効果を更に発揮できる。
【０１０２】
以上、図面を参照しながら本発明の実施形態について説明した。但し、本発明は、上記の実施形態に限られるものではなく、その要旨を逸脱しない範囲で種々の態様において実施することが可能である（例えば、下記（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１０３】
（１）図１及び図９を参照して説明したように、本発明の第１実施形態及び第２実施形態では、イオン発生器７は、プラスイオンとマイナスイオンとを発生するが、本発明はこれに限定されない。イオン発生器７は、プラスイオン及びマイナスイオンの少なくとも一方を発生すればよい。
【０１０４】
（２）図１及び図９を参照して説明したように、本発明の第１実施形態及び第２実施形態では、加湿フィルタ３１がモータ５によって回転駆動されるが、本発明はこれに限定されない。加湿装置１００が加湿フィルタ３１を備えればよい。例えば、加湿フィルタ３１が加湿装置１００に固定されてもよい。
【産業上の利用可能性】
【０１０５】
本発明は、加湿装置を提供するものであり、産業上の利用可能性を有する。
【符号の説明】
【０１０６】
１００    加湿装置
１    送風路
１Ａ    第１送風路
１１    後方送風路
１１１    後方排気口
１１２    第１仕切部材
１１３    凹部
１１４    凹部
１２    前方送風路
１２１    前方排気口
２    吸込室
２２    集塵フィルタ
２３    脱臭フィルタ
３    加湿ユニット
３０    保持枠
３１    加湿フィルタ（加湿部材）
３２    リングギヤ
４    水槽
５    モータ
６    送風機
６０    ファン（第１ファン）
６１    モータ
６Ａ    第１送風機
６０Ａ    ファン（第１ファン）
６１Ａ    モータ
６Ｂ    第２送風機
６０Ｂ    ファン（第２ファン）
６１Ｂ    モータ
７    イオン発生器（放電器）
７１    電源回路ユニット
７２    電極
８    規制機構
１３    第２送風路
１３１    入口
１３２    出口
１Ｂ    第２送風路
８１    板状部材（カバー部材の一部）
８２    軸部材（カバー部材の一部）
８３    凹部
８４    押圧部材
９    制御部
Ｓ    センサ
Ｄ、Ｄ１、Ｄ２、ＤＳ、Ｗ    方向
【図１】
2020056539.tif 000003
【図２】
2020056539.tif 000004
【図３】
2020056539.tif 000005
【図４】
2020056539.tif 000006
【図５】
2020056539.tif 000007
【図６】
2020056539.tif 000008
【図７】
2020056539.tif 000009
【図８】
2020056539.tif 000010
【図９】
2020056539.tif 000011